(57)【要約】【課題】ラジオ放送のような微弱な電波を利用しても効率良くクロック信号を生成することが可能なクロック信号生成回路を提供する。【解決手段】このクロック信号生成回路は、外部から供給される電波を受信して電気信号に変換するアンテナと、可変容量コンデンサ及びコイルを含み、アンテナから出力される電気信号に対して同調動作を行うことにより所望の周波数を有する交流信号を抽出する共振回路と、シリコンダイオードよりも低い順方向電圧を有するダイオードとコンデンサとを含み、共振回路によって抽出される交流信号を整流及び平滑して電源電圧を生成する整流平滑回路と、シリコン基板に形成された複数のトランジスタによって構成され、整流平滑回路によって生成される電源電圧が供給されたときに、共振回路によって抽出される交流信号をクロック信号に変換するロジック回路とを具備する。【選択図】図１
2008035186.tif 000002
【特許請求の範囲】
【請求項１】
外部から供給される電波を受信して電気信号に変換するアンテナと、
可変容量コンデンサ及びコイルを含み、前記アンテナから出力される電気信号に対して同調動作を行うことにより所望の周波数を有する交流信号を抽出する共振回路と、
シリコンダイオードよりも低い順方向電圧を有するダイオードとコンデンサとを含み、前記共振回路によって抽出される交流信号を整流及び平滑して電源電圧を生成する整流平滑回路と、
シリコン基板に形成された複数のトランジスタによって構成され、前記整流平滑回路によって生成される電源電圧が供給されたときに、前記共振回路によって抽出される交流信号をクロック信号に変換するロジック回路と、
を具備するクロック信号生成回路。
【請求項２】
外部から供給される電波を受信して電気信号に変換する複数のアンテナと、
複数組の可変容量コンデンサ及びコイルを含み、前記複数のアンテナから出力される電気信号に対して同調動作を行うことにより所望の周波数を有する複数の交流信号をそれぞれ抽出する複数の共振回路と、
シリコンダイオードよりも低い順方向電圧を有する複数のダイオードと少なくとも１つのコンデンサとを含み、前記複数の共振回路によってそれぞれ抽出される複数の交流信号を整流及び平滑して電源電圧を生成する整流平滑回路と、
シリコン基板に形成された複数のトランジスタによって構成され、前記整流平滑回路によって生成される電源電圧が供給されたときに、前記複数の共振回路の内のいずれかによって抽出される交流信号をクロック信号に変換するロジック回路と、
を具備するクロック信号生成回路。
【請求項３】
１次側巻線及び２次側巻線を有し、１次側巻線が接続された他の機器の回路と交流的に結合した２次側巻線から交流信号を出力するトランスと、
シリコンダイオードよりも低い順方向電圧を有するダイオードとコンデンサとを含み、前記トランスの２次側巻線から出力される交流信号を整流及び平滑して電源電圧を生成する整流平滑回路と、
シリコン基板に形成された複数のトランジスタによって構成され、前記整流平滑回路によって生成される電源電圧が供給されたときに、前記トランスの２次側巻線から出力される交流信号をクロック信号に変換するロジック回路と、
を具備するクロック信号生成回路。
【請求項４】
前記整流平滑回路が、シリコンダイオードよりも低い順方向電圧を有する少なくとも１つのダイオードをさらに含み、前記トランスの２次側巻線から出力される交流信号を全波整流する、請求項３記載のクロック信号生成回路。
【請求項５】
前記ロジック回路が、前記交流信号を反転増幅するインバータ、又は、前記交流信号に同期して出力信号のレベルを反転するＤフリップフロップを含む、請求項１〜４のいずれか１項記載のクロック信号生成回路。
【請求項６】
前記ロジック回路が、前記クロック信号を分周することにより、前記交流信号よりも低い周波数を有する第２のクロック信号を生成する分周回路、及び、前記分周回路によって生成される第２のクロック信号に基づいて計時動作を行う計時回路を含む、請求項１〜５のいずれか１項記載のクロック信号生成回路。
【発明の詳細な説明】
【技術分野】
【０００１】
本発明は、外部から受信した電波等の信号からクロック信号を生成するためのクロック信号生成回路に関する。
【背景技術】
【０００２】
外部から受信した信号に基づいて回路を駆動する技術の１つとして、ＲＦＩＤ（Radio Frequency Identification：無線周波数識別）が知られている。ＲＦＩＤは、外部から供給される無線周波数（ＲＦ）の磁界又は電磁界を受けて動作し、外部との間で無線通信を行う。ＲＦＩＤを利用したものとして、識別コードや各種の情報を格納するＩＣタグ（パッシブタグ）が知られており、様々な産業で用いられている。パッシブタグにおいては、内部に電源が内蔵されておらず、外部から供給される磁界又は電磁界によってパッシブタグ内に電力が発生し、その電力によって情報の処理等が行われる。
【０００３】
関連する技術として、下記の特許文献１には、１コイルにより信号を送受信する電磁結合式の送受信回路（ＩＤタグ）において、その受信波から安定したクロック信号や電力を生成することが開示されている。このＩＤタグは、情報読取器との間で信号の授受を行う共振回路と、共振回路の出力端子を接地することにより共振回路の出力を変調する変調用トランジスタと、メモリから読み出した応答データに応じて変調時には２周期毎に半周期の間だけ変調用トランジスタをオンする変調制御信号を生成する変調回路とを備えている。このＩＤタグによれば、共振回路の出力の周波数を変化させることなく変調を行うことにより、安定したクロック信号を生成することができ、また、出力の一部分を間引くように変調しているので、リップルが小さく安定した電力を取り出すことができる。しかしながら、特許文献１には、ラジオ放送のような微弱な電波を利用してクロック信号を生成することに関しては開示されていない。
【特許文献１】特開平７−２１８６２６（第１頁、図１）
【発明の開示】
【発明が解決しようとする課題】
【０００４】
そこで、上記の点に鑑み、本発明は、ラジオ放送のような微弱な電波を利用しても効率良くクロック信号を生成することが可能なクロック信号生成回路を提供することを目的とする。
【課題を解決するための手段】
【０００５】
上記課題を解決するため、本発明の第１の観点に係るクロック信号生成回路は、外部から供給される電波を受信して電気信号に変換するアンテナと、可変容量コンデンサ及びコイルを含み、アンテナから出力される電気信号に対して同調動作を行うことにより所望の周波数を有する交流信号を抽出する共振回路と、シリコンダイオードよりも低い順方向電圧を有するダイオードとコンデンサとを含み、共振回路によって抽出される交流信号を整流及び平滑して電源電圧を生成する整流平滑回路と、シリコン基板に形成された複数のトランジスタによって構成され、整流平滑回路によって生成される電源電圧が供給されたときに、共振回路によって抽出される交流信号をクロック信号に変換するロジック回路とを具備する。
【０００６】
また、本発明の第２の観点に係るクロック信号生成回路は、外部から供給される電波を受信して電気信号に変換する複数のアンテナと、複数組の可変容量コンデンサ及びコイルを含み、複数のアンテナから出力される電気信号に対して同調動作を行うことにより所望の周波数を有する複数の交流信号をそれぞれ抽出する複数の共振回路と、シリコンダイオードよりも低い順方向電圧を有する複数のダイオードと少なくとも１つのコンデンサとを含み、複数の共振回路によってそれぞれ抽出される複数の交流信号を整流及び平滑して電源電圧を生成する整流平滑回路と、シリコン基板に形成された複数のトランジスタによって構成され、整流平滑回路によって生成される電源電圧が供給されたときに、複数の共振回路の内のいずれかによって抽出される交流信号をクロック信号に変換するロジック回路とを具備する。
【０００７】
さらに、本発明の第３の観点に係るクロック信号生成回路は、１次側巻線及び２次側巻線を有し、１次側巻線が接続された他の機器の回路と交流的に結合した２次側巻線から交流信号を出力するトランスと、シリコンダイオードよりも低い順方向電圧を有するダイオードとコンデンサとを含み、トランスの２次側巻線から出力される交流信号を整流及び平滑して電源電圧を生成する整流平滑回路と、シリコン基板に形成された複数のトランジスタによって構成され、整流平滑回路によって生成される電源電圧が供給されたときに、トランスの２次側巻線から出力される交流信号をクロック信号に変換するロジック回路とを具備する。
【０００８】
本発明の第３の観点に係るクロック信号生成回路において、整流平滑回路が、シリコンダイオードよりも低い順方向電圧を有する少なくとも１つのダイオードをさらに含み、トランスの２次側巻線から出力される交流信号を全波整流するようにしても良い。
【０００９】
また、以上において、ロジック回路が、交流信号を反転増幅するインバータ、又は、交流信号に同期して出力信号のレベルを反転するＤフリップフロップを含むようにしても良いし、クロック信号を分周することにより、交流信号よりも低い周波数を有する第２のクロック信号を生成する分周回路、及び、分周回路によって生成される第２のクロック信号に基づいて計時動作を行う計時回路を含むようにしても良い。
【発明の効果】
【００１０】
本発明によれば、シリコン基板に形成された複数のトランジスタによって構成されるロジック回路と、シリコンダイオードよりも低い順方向電圧を有するダイオードを含む整流平滑回路とを用いることにより、ラジオ放送のような微弱な電波を利用しても効率良くクロック信号を生成することが可能なクロック信号生成回路を提供することができる。
【発明を実施するための最良の形態】
【００１１】
以下に、本発明を実施するための最良の形態について、図面を参照しながら詳しく説明する。なお、同一の構成要素には同一の参照番号を付して、説明を省略する。
図１は、本発明の第１の実施形態に係るクロック信号生成回路を示す回路図である。図１に示すように、このクロック信号生成回路は、アンテナ１０と、コンデンサＣ１０と、共振回路２０と、整流平滑回路３０と、ロジック回路４０とを含んでいる。
【００１２】
本実施形態においては、ロジック回路４０が、シリコン基板を用いた半導体集積回路（ＩＣ）内に形成されている。このＩＣは、一般的な家庭用機器のコントローラに搭載されるものであり、該コントローラは、時刻を計測するための計時部と、設定情報を入力するための入力部と、設定情報を記憶するための記憶部と、家庭用機器の制御を行う制御部と、時刻や設定情報等を表示するための液晶表示パネルとを有しており、該ＩＣには、計時部、記憶部、制御部、又は、液晶ドライバ等を内蔵することができる。記憶部と制御部とは、マイコンで構成しても良い。
【００１３】
アンテナ１０としては、例えば、ループアンテナやバーアンテナを用いても良いし、ＡＣ１００Ｖ電源ラインを利用しても良い。アンテナ１０は、外部から供給されるＡＭラジオ放送等の電波を受信し、受信した電波を電気信号に変換する。アンテナ１０と共振回路２０との間には、所定の周波数以上の周波数成分を通過させるコンデンサＣ１０が接続されている。
【００１４】
共振回路２０は、可変容量コンデンサＣ１１と、コイルＬ１１とを含み、特定の周波数において共振する。可変容量コンデンサＣ１１の容量値を変更することにより、共振周波数を調整することができる。このようにして、アンテナ１０から出力される電気信号に対して同調を行うことにより、アンテナ１０から出力される様々な周波数成分の内から、共振回路２０の共振周波数によって特定される所望の周波数成分が抽出され、同調信号としてノードＡに印加される。
【００１５】
整流平滑回路３０は、ダイオードＤ１０と、電界コンデンサＣ１２とを含んでいる。ダイオードＤ１０のアノードは、ノードＡに接続され、ダイオードＤ１０のカソードは、コンデンサＣ１２の一端に接続されている。また、コンデンサＣ１２の他端は、電源電位ＶＳＳ（本実施形態においては、接地電位とする）に接続されている。ダイオードＤ１０は、共振回路２０によってノードＡに印加される同調信号を整流し、電界コンデンサＣ１２は、ダイオードＤ１０から出力される脈流信号を平滑する。電界コンデンサＣ１２によって平滑された電位は、ロジック回路４０の電源電位ＶＤＤとして用いられ、ロジック回路４０には電源電圧（ＶＤＤ−ＶＳＳ）が供給される。
【００１６】
本実施形態においては、ダイオードＤ１０として、シリコンダイオードよりも低い順方向電圧を有するゲルマニウムダイオードが用いられる。一般に、シリコンダイオードとゲルマニウムダイオードの順方向特性は、図２に示すように異なっており、シリコンダイオードのしきい電圧が約０．７Ｖであるのに対し、ゲルマニウムダイオードのしきい電圧は約０．１Ｖであり、シリコンダイオードのしきい電圧よりもかなり低い。従って、同じ振幅の同調信号を整流する場合に、シリコンダイオードよりもゲルマニウムダイオードの方が、高い電源電圧を生成することができる。あるいは、ダイオードＤ１０として、シリコンダイオードよりも低いしきい電圧（約０．２Ｖ）を有するショットキーバリアダイオードを用いても良い。
【００１７】
ロジック回路４０は、ダイオードＤ１１及びＤ１２と、インバータを構成するＰチャネルＭＯＳトランジスタＱＰ１１及びＮチャネルＭＯＳトランジスタＱＮ１１とを含んでいる。トランジスタＱＰ１１のソースには、整流平滑回路３０によって平滑化された電源電位ＶＤＤが供給され、トランジスタＱＮ１１のソースには、電源電位ＶＳＳが供給される。
【００１８】
ノードＡに印加される同調信号は、インバータを構成するトランジスタＱＰ１１及びＱＮ１１のゲートに入力される。トランジスタＱＰ１１及びＱＮ１１は、ゲートに入力される同調信号を反転増幅することにより、同調信号を方形波のクロック信号に変換してドレインから出力する。出力されるクロック信号は、ＩＣに内蔵されている後段のロジック回路、計時部、記憶部、制御部、又は、液晶ドライバ等において用いられる。
【００１９】
ダイオードＤ１１及びＤ１２は、ＩＣ内に形成される保護用のダイオードである。ダイオードＤ１１のアノードは、電源電位ＶＳＳに接続され、ダイオードＤ１１のカソードは、トランジスタＱＰ１１及びＱＮ１１のゲートに接続されている。また、ダイオードＤ１２のアノードは、トランジスタＱＰ１１及びＱＮ１１のゲートに接続され、ダイオードＤ１２のカソードは、電源電位ＶＤＤに接続されている。
【００２０】
静電気等によりトランジスタのゲートに高電圧が印加されると、ゲート絶縁膜の耐圧が低いので、トランジスタが破壊されてしまうおそれがある。そのような場合に、保護用のダイオードＤ１１又はＤ１２がオンとなることにより、該ダイオードがバイパス経路を形成して、高電圧保護回路としての役割を果たす。例えば、図１において、ＩＣの入力端子（ノードＡ）に正の高電圧が印加された場合には、ダイオードＤ１２がバイパス経路を形成して、トランジスタＱＰ１１及びＱＮ１１のゲート絶縁膜が高電圧から保護される。
【００２１】
一方、ＩＣの外部にある整流平滑回路３０においては、ゲルマニウムダイオードＤ１０が設けられている。ゲルマニウムダイオードのしきい電圧はシリコンダイオードのしきい電圧よりも低いので、ノードＡに印加される同調信号は、保護用のダイオードＤ１１又はＤ１２を通過しないで、ゲルマニウムダイオードＤ１０を通過する。
【００２２】
図２に示すように、シリコンダイオードとゲルマニウムダイオードの順方向特性は異なっており、順方向電圧０．７Ｖ近傍を境に、ゲルマニウムダイオードの抵抗値とシリコンダイオードの抵抗値とが逆転する。順方向電圧が０Ｖ〜０．７Ｖ近傍においては、シリコンダイオードには、ほとんど電流が流れないので、シリコンダイオードの抵抗値は大きく、また、ゲルマニウムダイオードの抵抗値は小さい。既に説明したクロック信号生成回路の動作は、そのようなシリコンダイオードとゲルマニウムダイオードとの特性の違いを利用したものである。
【００２３】
一方、順方向電圧が０．７Ｖ近傍を越えると、シリコンダイオードに急峻に電流が流れ始めるので、シリコンダイオードの抵抗値は小さく、また、ゲルマニウムダイオードの抵抗値は大きくなる。例えば、静電気等によって入力端子に高電圧が印加された場合には、ゲルマニウムダイオードとシリコンダイオードの特性の違いによって、シリコンダイオードＤ１２が導通し、ゲルマニウムダイオードＤ１０は導通しない。一般に、ゲルマニウムダイオードは、高電圧によって破壊され易い。しかしながら、図１に示すように、ゲルマニウムダイオードとシリコンダイオードとを併用して構成することによって、高電圧によってゲルマニウムダイオードが破壊されるのを防止することができる。
【００２４】
このＩＣが搭載されるコントローラに有線で接続される家庭用機器は、ＡＣ１００Ｖ電源が供給されて動作するので、ＡＣ１００Ｖ電源に基づいて得られた直流電源電圧がコントローラにも供給される。従って、通常は、ＡＣ１００Ｖ電源に基づいて得られた直流電源電圧によってＩＣを動作させることができる。その場合には、ＡＣ１００Ｖ電源に基づいて得られた直流電源電圧を、逆流防止用のダイオードを介して、ロジック回路４０に供給するようにしても良い。
【００２５】
災害等によってＡＣ１００Ｖ電源が供給されなくなった場合においても、ＩＣに内蔵されているロジック回路４０及び／又はその他の回路には、整流平滑回路３０によって生成される電源電圧が供給される。これにより、ＡＣ１００Ｖ電源が遮断されてもＩＣの最小限の動作を維持することができるので、計時動作を継続したり、設定情報を保持したり、又は、時刻やその他の情報を表示したりすることが可能となる。
【００２６】
次に、本発明の第２の実施形態について説明する。
図３は、本発明の第２の実施形態に係るクロック信号生成回路を示す回路図である。第２の実施形態に係るクロック信号生成回路のロジック回路４０においては、図１に示すインバータの替わりに、ＤフリップフロップＦＦ１が設けられている。その他の構成に関しては、第１の実施形態と同様である。
【００２７】
図３に示すように、共振回路２０によってノードＡに印加される同調信号が、ロジック回路４０におけるフリップフロップＦＦ１のクロック信号入力端子ＣＫに入力される。また、フリップフロップＦＦ１の反転出力端子Ｑバーから出力される信号がデータ入力端子Ｄに入力され、非反転出力端子Ｑから出力される信号がクロック信号として用いられる。
【００２８】
フリップフロップＦＦ１は、クロック信号入力端子ＣＫに入力される同調信号に同期して、データ入力端子Ｄに入力されている信号を非反転出力端子Ｑから出力すると共に、データ入力端子Ｄに入力されている信号を反転して反転出力端子Ｑバーから出力する。反転出力端子Ｑバーから出力される信号は、再び、データ入力端子Ｄに入力されるので、同調信号の電位がローレベルからハイレベルに変化する度に、非反転出力端子Ｑ及び反転出力端子Ｑバーから出力される信号のレベルが反転することになる。このようにして、クロック信号入力端子ＣＫに入力される同調信号が、方形波のクロック信号に変換される。その際に、クロック信号の周波数は、同調信号の周波数の半分となる。
【００２９】
なお、フリップフロップＦＦ１から出力されるクロック信号の初期状態を決定するために、フリップフロップＦＦ１のセット端子又はリセット端子（図示せず）に制御信号を供給するようにしても良い。
【００３０】
次に、本発明の第３の実施形態について説明する。
図４は、本発明の第３の実施形態に係るクロック信号生成回路を示す回路図である。第３の実施形態に係るクロック信号生成回路のロジック回路４０においては、図１に示すインバータに加えて、分周回路５０及び計時回路６０が設けられている。その他の構成に関しては、第１の実施形態と同様である。
【００３１】
本実施形態においては、トランジスタＱＰ１１及びＱＮ１１によって構成されるインバータから出力されるクロック信号が、分周回路５０に入力される。例えば、アンテナ１０によってＡＭラジオ放送の電波を受信し、同調信号が１ＭＨｚの周波数を有する場合には、トランジスタＱＰ１１及びＱＮ１１のドレインから出力される１ＭＨｚの周波数を有するクロック信号が、分周回路５０に入力される。
【００３２】
分周回路５０は、例えば、図３に示すように接続されたフリップフロップを複数直列に接続することによって構成され、入力されたクロック信号を分周することにより、計時動作に適した周波数を有する第２のクロック信号を生成する。分周回路５０によって生成される第２のクロック信号は、後段の計時回路６０に供給される。計時回路６０は、第２のクロック信号に同期してカウント値をインクリメントすることにより、現在時刻を求めることができる。求められた現在時刻は、ＩＣに内蔵されている液晶ドライバによって、液晶表示パネルに表示される。
【００３３】
図４に示すように、アンテナ１０によって受信した電波に基づいて生成したクロック信号を、分周回路５０を介して計時回路６０に供給することによって、計時回路６０において、クロック信号を生成するために用いられる水晶等のデバイスを不要として、コストを低減することができる。
【００３４】
次に、本発明の第４の実施形態について説明する。
図５は、本発明の第４の実施形態に係るクロック信号生成回路を示す回路図である。第４の実施形態においては、複数のアンテナ〜複数の共振回路が用いられる。一例として、図５に示すように、このクロック信号生成回路は、２つのアンテナ１０及び１１と、２つのコンデンサＣ１０及びＣ２０と、２つの共振回路２０及び２１と、整流平滑回路７０と、ロジック回路４０とを含んでいる。アンテナ１０、コンデンサＣ１０、共振回路２０、及び、ロジック回路４０は、図１に示す第１の実施形態におけるのと同様である。
【００３５】
アンテナ１１は、アンテナ１０と同じタイプでも良いし、異なるタイプでも良い。共振回路２１は、可変容量コンデンサＣ２１と、コイルＬ２１とを含み、特定の周波数において共振する。共振回路２１の共振周波数は、共振回路２０の共振周波数と同じ周波数となるように調整しても良いし、異なる周波数となるように調整しても良い。
【００３６】
整流平滑回路７０は、ゲルマニウムダイオードＤ１０及びＤ２０と、電界コンデンサＣ１２とを含んでいる。ダイオードＤ２０のアノードは、共振回路２１に接続され、ダイオードＤ２０のカソードは、ダイオードＤ１０のカソードと共に、コンデンサＣ１２の一端に接続されている。これらのダイオードＤ１０及びＤ２０による整流動作と、コンデンサＣ１２による平滑動作とは、図１を参照しながら説明したのと同様である。
【００３７】
本実施形態においては、ゲルマニウムダイオードＤ１０から出力される脈流信号とゲルマニウムダイオードＤ２０から出力される脈流信号とが加算された信号が、コンデンサＣ１２によって平滑される。従って、図１に示すクロック信号生成回路よりも、迅速にコンデンサＣ１２を充電してクロック信号を出力することができる。なお、ロジック回路４０において、図３に示すのと同様にインバータの替わりにフリップフロップを用いたり、また、図４に示すのと同様にインバータの後段に分周回路５０や計時回路６０を接続する構成としても良い。
【００３８】
次に、本発明の第５の実施形態について説明する。
図６は、本発明の第５の実施形態に係るクロック信号生成回路を示す回路図である。図６に示すように、このクロック信号生成回路は、外部の交流信号源に接続される入力端子Ｐ１及びＰ２と、トランス８０と、整流平滑回路９０と、ロジック回路４０とを含んでいる。
【００３９】
トランス８０は、コアに回巻された１次側巻線８１と２次側巻線８２とを有している。整流平滑回路９０は、ダイオードＤ３１〜Ｄ３４と、コンデンサＣ１２とを含んでいる。ダイオードＤ３１〜Ｄ３４は、ダイオードブリッジを構成しており、トランスの２次側巻線８２に発生する交流信号を全波整流する。
【００４０】
本実施形態においては、第１〜４の実施形態においてアンテナとコンデンサと共振回路とによって構成されていた部分が、トランス８０によって構成されている。ＩＣが搭載されているコントローラには、外部の交流信号源が接続されており、この交流信号源から供給される交流信号が、クロック信号生成回路の入力端子Ｐ１及びＰ２に入力される。
【００４１】
図６において、交流信号源と整流平滑回路９０及びロジック回路４０との間のトランス８０を介する接続は、一般に非接触電力伝送と言われる接続形態であって、交流信号源とロジック回路４０及び整流平滑回路３０とは、電磁的に結合しているが、物理的には絶縁された状態となっている。
【００４２】
交流信号源から供給される交流信号がトランスの１次側巻線８１に印加されると、電磁結合によって、トランスの２次側巻線８２に交流電圧が誘起される。その誘起された交流電圧は、ダイオードＤ３１〜Ｄ３４及びコンデンサＣ１２によって整流及び平滑され、電源電圧としてロジック回路４０に供給される。
【００４３】
本実施形態において利用される交流信号源は、クロック信号を生成するために十分な周波数安定度を有しているものであれば、いかなる交流信号源であっても良い。例えば、コンピュータネットワーク通信に用いられるネットワークケーブル上で伝送されている搬送波等を利用することができる。その場合には、コンピュータとネットワークケーブルとのインターフェース部分において、ケーブルに印加されているノイズからコンピュータを絶縁し保護するために一般的に用いられているパルストランスを、図６に示すトランス８０として用いても良い。
【００４４】
図６においては、全波整流を行うためにダイオードＤ３１〜Ｄ３４を含む整流平滑回路９０が示されているが、図１に示す第１の実施形態と同様に、半波整流を行う１つのダイオードを含む整流平滑回路を用いるようにしても良い。
【図面の簡単な説明】
【００４５】
【図１】本発明の第１の実施形態に係るクロック信号生成回路を示す回路図。
【図２】シリコンダイオードとゲルマニウムダイオードの順方向特性を示す図。
【図３】本発明の第２の実施形態に係るクロック信号生成回路を示す回路図。
【図４】本発明の第３の実施形態に係るクロック信号生成回路を示す回路図。
【図５】本発明の第４の実施形態に係るクロック信号生成回路を示す回路図。
【図６】本発明の第５の実施形態に係るクロック信号生成回路を示す回路図。
【符号の説明】
【００４６】
１０、１１  アンテナ、  ２０、２１  共振回路、  ３０、７０、９０  整流平滑回路、  ４０  ロジック回路、  ５０  分周回路、  ６０  計時回路、  ８０  トランス、  ８１  １次側巻線、  ８２  ２次側巻線、  Ｃ１０〜Ｃ２１  コンデンサ、  Ｌ１１、Ｌ２１  コイル、  Ｄ１０〜Ｄ３４  ダイオード、  ＱＮ１１  ＮチャネルＭＯＳトランジスタ、  ＱＰ１１  ＰチャネルＭＯＳトランジスタ、  ＦＦ１  Ｄフリップフロップ
【図１】
2008035186.tif 000003
【図２】
2008035186.tif 000004
【図３】
2008035186.tif 000005
【図４】
2008035186.tif 000006
【図５】
2008035186.tif 000007
【図６】
2008035186.tif 000008